【事件の表示】
　特願２００４−５１９８９１「自動無線ＥＦＭチャネル・ホッピング」拒絶査定不服審判事件〔平成１６年　１月１５日国際公開、ＷＯ２００４／００６４８５、平成１８年　３月３０日国内公表、特表２００６−５１１０９９〕について、次のとおり審決する。
【結　論】
　本件審判の請求は、成り立たない。
【理　由】
１．手続の経緯
　本願は、２００３年７月７日（パリ条約による優先権主張外国庁受理２００２年７月９日、米国）を国際出願日とする出願であって、平成２０年９月１９日付けで拒絶理由通知がなされ、平成２１年３月１８日付けで手続補正がなされたが、同年４月９日付けで拒絶査定がなされ、これに対し、同年８月２１日に拒絶査定不服審判の請求がなされたものである。
　
２．本願発明
　本願の請求項１９に係る発明は、平成２１年３月１８日付けの手続補正書により補正された特許請求の範囲の記載からみて、その特許請求の範囲の請求項１９に記載されたとおりの次のものと認める。（以下、「本願発明」という。）
「ディジタル・オーディオを生成するストリーミング制御器と、
　前記ディジタル・オーディオを変調されたデータ信号に変換するエンコーダと、
　前記エンコーダおよび前記ストリーミング制御器に接続され、複数のチャネル周波数のうちの１つで前記変調されたデータ信号を送信する送信回路と、
　前記ストリーミング制御器に接続された遠隔制御受信回路と、
を備える、装置。」
　
３．引用例
　原査定の拒絶の理由に引用された国際公開第００／１１９０８号（以下、「引用例」という。）には、図面とともに次の事項が記載されている。
　
Ａ．FIELD OF THE INVENTION
    The present invention relates generally to wireless local audio transmission, and specifically to high quality wireless audio speakers.（第１頁第２行〜第４行）
（日本語訳：「技術分野
　本発明は局地無線式オーディオ伝送に関し、特に高品質無線オーディオスピーカに関する。」）
　
Ｂ．DETAILED DESCRIPTION OF PREFERRED EMBODIMENTS
    Fig. 1 is a schematic illustration of a wireless speaker system 20, in accordance with a preferred embodiment of the present invention. System 20 comprises a transmitter 22 which receives input audio data, and transmits the data to a plurality of receivers such as a left receiver 24 and a right receiver 26. Although two receivers are illustrated in FIG. 1, it will be obvious to those skilled in the art that the principles of the present invention may be applied to systems having three or more receivers.
    Transmitter 22 preferably receives both right and left analog signals of stereo audio data. The right and left signals are preferably converted to digital form by an A/D converter 28. Alternatively or additionally, transmitter 22 may receive digital signals via an interface 29, and these signals are naturally not passed through A/D 28.
    The digital signals are passed to a base-band processor 30, which compresses and encodes the digital signals into two separate signal streams, as will be described below. Preferably, the compression is performed in accordance with an audio compression standard, such as an MPEG protocol, most preferably MPEG-1 layer-1. Preferably, the encoding includes convolution encoding of the compressed data, which generally prevents transient interference from causing substantial damage at any single part of the data, and data framing in which the data is divided into packets of a fixed length, preferably such that each packet is transmitted for about 4 ms.
    Preferably, base-band processor 30 also assigns a pair of frequency channels (f1 and f2), as described hereinbelow, for transmission of the packets. The signal streams are passed from processor 30 to an up-converter 32 which converts the signals to RF signals to be transmitted on the assigned channel pair. The RF signals from up-converter 32 are transmitted from an antenna 34 to antennas 36 of receivers 24 and 26. Antennas 34 and 36 preferably comprise omni-directional antennas, although any suitable antenna may be used.
    Receivers 24 and 26 comprise down-converters 38, which down-convert the received signals to base-band signals in a reverse-compatible method to the up-conversion performed by up-converter 32. Receivers 24 and 26 further comprise receiver base-band processors 40, which demodulate, decode and decompress the received signals in a manner reverse-compatible with the compression and encoding in processor 30. Preferably, the signals are decoded using a Viterbi algorithm, or a similar method, so as to improve the data extraction from the received signals. The decompressed signals are converted to analog form using a D/A converter 42 and then are passed to speakers 44 which play the decompressed audio signals. Preferably, the delay between the input at transmitter 22 and the playing of the audio signals by speakers 44 is less than 50 msec, most preferably between 30 and 40 msec, such that the delay is substantially unnoticed by listeners.（第１３頁第１行〜第１４頁第４行）
（日本語訳：「好ましい実施の形態の詳細な説明
　図１は、本発明の好ましい実施形態による無線スピーカシステム２０の概略図である。このシステム２０は、入力されたオーディオデータを受信して、そのデータを例えば左受信器２４と右受信器２６の如くの複数の受信器に送信する送信器２２を備えている。図１では受信器は二台あるものとして示しているが、当業者には本発明の原理は三台以上の受信器を備えたシステムにも適用できることは明らかである。
　送信器２２としては、ステレオオーディオデータの右用アナログ信号と左用アナログ信号の両方を受信しているのが好ましい。この右用および左用信号は、Ａ/Ｄ変換器２８によりデジタル形式に変換されるのが望ましい。別の方法としては、或いは追加的に、送信器２２はインターフェース２９を介してデジタル信号を受信して、これらの信号をＡ/Ｄ変換器２８を介さずにそのまま供給するようにしてもよい。
　ベースバンドプロセッサ３０に供給されたデジタル信号は、そのプロセッサ３０により後述のように二つの独立した信号ストリームに圧縮及び符号化される。好ましくは、この圧縮は、ＭＰＥＧプロトコル、より好ましくはＭＰＥＧ１−レイヤー１の如くのオーディオ圧縮規格に従って行われるのが望ましい。好ましくは、符号化には、過渡的な干渉でデータが一片たりとも損なわれるのを防ぐことのできる圧縮データの畳込み符号化と、データを、各パケットとして約４ミリ秒間、送信できるように固定長の複数パケットに分割するデータフレーム化とが含まれているのが望ましい。
　好ましくは、ベースバンドプロセッサ３０は、パケットの送信に備えて後述のように一対の周波数チャンネル（ｆ１とｆ２）を割り当てるようにもなっている。信号ストリームはプロセッサ３０からアップコンバータ３２に供給され、このアップコンバータ３２でＲＦ信号に変換された後に割り当てられたチャンネル対にのって送信される。アップコンバータ３２からのＲＦ信号はアンテナ３４から送信されて、受信器２４、２６のアンテナ３６に受信される。アンテナ３４、３６はどのようなものであってもよいが、全方向性アンテナであるのが望ましい。
　受信器２４、２６は、アップコンバータ３２が行ったアップコンバージョンに対して逆互換法で、受信した信号をベースバンド信号にダウンコンバートするダウンコンバータ３８を備える。また、これらの受信器２４、２６は、プロセッサ３０における圧縮及び符号化に対して逆互換法にて、受信した信号を復調、復号、解凍する受信器ベースバンドプロセッサ４０をも備えている。好ましくは、受信信号は、当該受信信号からのデータ抽出を向上させるためにビタビアルゴリズム、あるいは類似の方法を利用して復号されるのが望ましい。解凍した信号はＤ／Ａ変換器４２によりアナログ形式に変換された後にスピーカ４４へ送られ、かくて解凍されたオーディオ信号がスピーカ４４から再生される。この際、送信器２２側での入力とスピーカ４４によるオーディオ信号の再生との間の遅延は５０ミリ秒、より好ましくは３０〜４０ミリ秒であり、この程度の遅延は聴取者には気付かれないで済む。」）
　
Ｃ．Fig. 2 is a schematic detailed illustration of transmitter 22, in accordance with a preferred embodiment of the present invention. Transmitter 22 preferably comprises separate interfaces for analog audio data which is passed through A/D converter 28 and for digital audio signals which are received through a suitable digital interface, such as a S/PDIF receiver 50. The signals passed to processor 30 are preferably chosen by a multiplexer 52, the setting of which is chosen by a user by means of a switch in a user interface 54. Alternatively or additionally, multiplexer 52 is set by automatic detection of which of converter 28 and receiver 50 is connected to an external audio source. The audio source may comprise, but is not limited to, a tape recorder, a stereo system, a CD player, a DVD player, a computer or a video system.
    Processor 30 comprises a logic circuit 56 which controls the operation of the processor and coordinates the operation of its parts as described hereinbelow. Processor 30 further comprises a digital signal processor (DSP) 58, such as a Motorola DSP56002, which compresses, encodes and re-frames the digital audio signals and controls some operations of up-converter 32. Signal processor 58 prepares from the input audio signals two signal streams indicated respectively by arrows 62 and 64 to be sent via up converter 32 to receivers 24 and 26 respectively. Preferably, signal-processor 58, has a processing power of at least 36 MIPS, so as to allow compression and reframing together with other tasks of the signal processor to be performed faster than the input audio sampling rate.
    Processor 30 further comprises a memory 60 which is used by signal-processor 58 to store software segments which do not fit in the internal memory of signal-processor 58. Preferably, memory 60 is further used to store a non-volatile copy of the software and parameter values used by the processor. Preferably, memory 60 comprises volatile chips, such as RAM chips, and non-volatile chips such as EEPROM, EPROM and/or PROM chips. Most preferably, memory 60 comprises three chips, a RAM, EPROM, and EEPROM.
    The RAM is preferably a static CMOS chip which is used by signal-processor 58 for saving segments of the software and temporary parameters. Alternatively or additionally, more than one chip may be used, for example one chip for data and another chip for software segments. The EPROM is preferably used for holding a non-volatile copy of the software. The EEPROM is preferably a serial interface (I2C) chip in which parameters of the transmission are store. The parameters include, for example, a volume level, a unique ID transmitted along with the audio signals to prevent one system from reading signals from a different system, and the frequency channel number on which the RF signals are transmitted. User interface 54 preferably allows the user to change or set the parameters using buttons, switches or any other suitable input device. Preferably, processor 30 comprises a watchdog timer, which resets the system automatically when a malfunction occurs.
    Up-converter 32 of transmitter 22 preferably receives the signal streams indicated by arrows 62 and 64 and prepares them for transmission in the assigned frequency channels. Up-converter 32 comprises a synthesizer 70, which receives a reference signal at a suitable frequency, such as 24.576 MHz, preferably from a crystal oscillator (XO) 74. Synthesizer 70, together with two closed channels 66, each including a VCO 73, a loop filter 71 and an amplifier 75, produces two RF frequency carrier signals locked to oscillator 74. The RF carrier signals have frequencies determined according to control signals from logic circuit 56. The RF synthesized signals are modulated by respective BPSK modulators 72, which code the phase of the RF signal according to the signal streams indicated by arrows 62 and 64, producing RF signal streams indicated by arrows 77 and 79 respectively. Alternatively or additionally, a pair of QPSK modulators may be employed instead of BPSK modulators 72. Thereafter, signal streams indicated by arrows 77 and 79 are combined by a combiner 76, and are passed through a band pass filter (BPF) 78 to ensure that the transmitted signals are within the appropriate FCC-allowed band.
    Preferably, the signal streams indicated by arrows 62 and 64 are filtered by two low pass filters 67 for eliminating unnecessary frequency components from the transmitted spectrum, so as to keep the signals within a desired narrow bandwidth. These components if not filtered might interfere with other systems, such as neighboring wireless speaker systems, or may violate the FCC regulations.（第１４頁第５行〜第１５頁第２６行）
（日本語訳：「図２に、本発明の好ましい実施形態による送信器２２の詳細な構成を概略的に示す。この送信器２２は好ましくは、Ａ／Ｄ変換器２８を介して供給されたアナログオーディオデータ用のインターフェースと、Ｓ／ＰＤＩＦレシーバ５０の如くの適切なデジタルインターフェースを介して受信されたデジタルオーディオ信号用のインターフェースとを備えているのが望ましい。プロセッサ３０に供給される信号はマルチプレクサ５２により選択されるのが望ましく、その設定はユーザインターフェース５４にあるスイッチを操作することでユーザが選択できる。別の方法としては、或いは追加的に、マルチプレクサ５２は、変換器２８とレシーバ５０のどちらが外部オーディオ源に接続されたかを自動検出して設定されるようにしてもよい。このオーディオ源としては、必ずしもこれに限られるものではないが、テープレコーダやステレオシステム、ＣＤプレーヤ、ＤＶＤプレーヤ、コンピュータ、ビデオシステムなどであってもよい。
　プロセッサ３０は、当該プロセッサの動作を制御して、後述のようにその構成要素の動作を調整する論理回路５６を備えている。また、モトローラ社製DSP56002の如くのデジタル信号プロセッサ（ＤＳＰ）５８もプロセッサ３０に含まれており、このデジタル信号プロセッサ５８で、デジタルオーディオ信号が圧縮、符号化、再フレーム化されると共に、アップコンバータ３２の一部の動作が制御される。この信号プロセッサ５８は、入力オーディオ信号から、アップコンバータ３２を介して受信器２４、２６にそれぞれ伝送される矢印６２、６４で示した２つの信号ストリームを生成する。好ましくは、この信号プロセッサ５８は、前記圧縮と再フレーム化とが、当該信号プロセッサの他のタスクと共に、入力オーディオサンプリングレートよりも高速で行われるように、少なくとも３６MIPSの処理能力を有しているのが望ましい。
　プロセッサ３０にはメモリ６０も備わっており、このメモリ６０は、信号プロセッサ５８の内蔵メモリに入らないソフトウェアセグメントを記憶するために信号プロセッサ５８により使われるようになっている。好ましくはこのメモリ６０は、ソフトウェアの不揮発コピーと、プロセッサが利用するパラメータ値をも記憶するのに使われるのが望ましい。このメモリ６０としては、ＲＡＭの如くの揮発性チップであってもよいし、または、ＥＥＰＲＯＭ、ＥＰＲＯＭ、ＰＲＯＭの何れか、またはそれらの組合せの如くの不揮発性チップであってもよい。より好ましくは、メモリ６０は、ＲＡＭ、ＥＰＲＯＭ、ＥＥＰＲＯＭの３つのチップからなる。
　ＲＡＭはスタティックＣＭＯＳチップであるのが望ましく、信号プロセッサ５８がそれを利用して、ソフトウェアのセグメントと仮パラメータとを保存する。別の方法としては、或いは追加的に、一個以上のチップを利用してもよく、例えば一つのチップはデータ用に、また、別の一つのチップはソフトウェアセグメント用に使用してもよい。ＥＰＲＯＭは、ソフトウェアの不揮発コピーを保持するのに使用するのが望ましい。ＥＥＰＲＯＭは、送信パラメータが蓄えられたシリアルインターフェース（Ｉ２Ｃ）チップであるのが望ましい。パラメータには、例えば音量レベルや、一方のシステムが他のシステムからの信号を読むことを防ぐためにオーディオ信号と一緒に送信される固有ＩＤ、ＲＦ信号が送信される周波数チャンネル番号などがある。ユーザインターフェース５４は、ユーザがボタンやスイッチ、その他の入力装置を利用して、パラメータの変更または設定が行えるようになっているのが望ましい。プロセッサ３０は好ましくは監視タイマーを備えて、システムトラブル時にシステムを自動的にリセットできるようにするのが望ましい。
　送信器２２のアップコンバータ３２は、好ましくは矢印６２、６４で示された信号ストリームを受信して、それを割り当てられた周波数チャンネルで送信するように調整する。このアップコンバータ３２は、好ましくは水晶発振器（ＸＯ）７４から、２４．５７６ＭＨｚの如くの適切な周波数の基準信号が供給されるシンセサイザー７０を備える。シンセサイザー７０は、ＶＣＯ７３、ループフィルタ７１、増幅器７５からなる二つの閉チャンネル６６と共に、発振器７４に同期したＲＦ周波数搬送信号を生成する。ＲＦ搬送信号の周波数は、論理回路５６からの制御信号により決定される。ＲＦ合成信号は各々のＢＰＳＫ変調器７２により変調され、当該ＢＰＳＫ変調器７２は矢印６２、６４で示された信号ストリームに従ってＲＦ信号の位相を符号化して、矢印７７、７９で示されたＲＦ信号ストリームをそれぞれ発生する。別の方法としては、或いは追加的に、ＢＰＳＫ変調器７２の代わりに、一対のＱＰＳＫ変調器を用いてもよい。その後、矢印７７、７９で示された信号ストリームは結合器７６により組み合わされ、送信信号が適切なＦＣＣ認可帯域内にあることを確実にするために帯域通過フィルタ（ＢＰＦ）７８へ供給される。
　好ましくは、矢印６２、６４で示された信号ストリームは、信号を所望の狭帯域幅内に維持するべく、送信スペクトルから不必要な周波数成分を除去する二つの低域通過フィルタ６７へそれぞれ送られる。これらの成分はフィルタで除去されなければ、例えば隣接する無線スピーカシステムの如くの他のシステムに干渉を起こすか、または、ＦＣＣ規則違反を起こすことになる。」）
　
Ｄ．Fig. 10 is a schematic illustration of a two-way wireless speaker system 400, in accordance with a preferred embodiment of the present invention. System 400 comprises a transmitter 402 and at least two receivers 404 and 406. Preferably, receivers 404 and 406 have receiving units 407 which operate similarly to receivers 24 and 26 described above, and transmitter 402 comprises a transmitting unit 409 similar to transmitter 22. In addition, receivers 404 and 406 comprise transmitting units 408 which transmit short control messages back to transmitter 402, and transmitter 402 comprises a compatible receiving unit 410. The control messages are preferably transmitted on a separate frequency band from the digital audio transmissions from transmitting unit 409 to receiving units 407, such as one of the predefined frequency channels not used for audio signals. Preferably, the same frequency is used by both receivers 404 and 406 according to a time division scheme. Alternatively or additionally, two separate frequencies are used by the two receivers.
    Preferably, receivers 404 and 406 transmit acknowledgment messages every time they receive either a packet, a frame or an entire control block 180. Alternatively or additionally, receivers 404 and 406 transmit messages only when there is some change to report. Preferably, receivers 404 and 406 comprise a user interface 414 which allows the user to change parameters in transmitter 402, such as the transmission carrier frequencies. Thus, when receiver 404 is relatively far from transmitter 402, a user may use user interface 414 and need not go all the way to the transmitter to change parameters. Alternatively or additionally, receivers 404 and 406 transmit indication of the link quality to transmitter 402, so as to automatically shift the frequency channels to improve the link quality.（第２８頁第３２行〜第２９頁第２０行）
（日本語訳：「図１０は、本発明の好ましい実施形態に合わせた双方向無線スピーカシステム４００を概略的に示している。システム４００は、送信器４０２と少なくとも二台の受信器４０４、４０６とで構成される。好ましくは、受信器４０４、４０６は前述した受信器２４、２６と同様に動作する受信ユニット４０７を有し、また、送信器４０２は、送信器２２と同様の送信ユニット４０９を有する。さらに、受信器４０４、４０６は、送信器４０２に短い制御メッセージを送り返す送信ユニット４０８を有し、また、送信器４０２は対応する受信ユニット４１０を有する。制御メッセージは、送信ユニット４０９から受信ユニット４０７へのデジタルオーディオ伝送から分離した周波数帯域、例えばオーディオ信号に使われていない所定の周波数チャンネルの一つで送信されるのが望ましい。好ましくは、時分割方式に従って同一周波数が受信器４０４と受信器４０６の両方で使われるのが望ましい。別の方法としては、或いは追加的に、二つの別個の周波数が二つの受信器で使われてもよい。
　好ましくは、受信器４０４、４０６はパケットか、フレーム、または制御ブロック１８０全体の何れかを受信する都度、承認メッセージを送信するのが望ましい。別の方法として、或いは追加的に、受信器４０４、４０６は、報告すべき何らかの変化が起きたときだけメッセージを送信してもよい。好ましくは、受信器４０４、４０６は、送信搬送周波数のような送信器４０２のパラメータを、ユーザが変更できるようにするユーザインターフェース４１４を備えているのが望ましい。よって、受信器４０４が送信器４０２から比較的遠方にある場合、ユーザはユーザインターフェース４１４を使用してもよく、パラメータを変更するのに送信器のところまでわざわざ行く必要はない。別の方法としては、或いは追加的に、受信器４０４、４０６は、リンク品質を改善すべく自動的に周波数チャンネルを変更するために、送信器４０２に対してリンク品質の示度を送信してもよい。」）
　
　ここで、
（ア）上記Ｃ及び図２に記載されたＳ／ＰＤＩＦレシーバ５０、マルチプレクサ５２、論理回路５６は全体的に、デジタル信号プロセッサ５８に入力されるデジタルオーディオ信号を生成するものであると認められる。
（イ）上記Ｄに、「送信器４０２は、送信器２２と同様の送信ユニット４０９を有する。」と記載されていることにより、送信ユニット４０９の詳細な構成は、上記Ｃ及び図２に記載された送信器２２の詳細な構成と同一であると認められる。
　
　よって、上記Ａ〜Ｄの記載及び関連する図面を参照すると、引用例には、次の発明が記載されているものと認められる。（以下、「引用例記載の発明」という。）
「デジタルオーディオ信号を生成するＳ／ＰＤＩＦレシーバ５０、マルチプレクサ５２、論理回路５６と、
　前記デジタルオーディオ信号を符号化された信号ストリームに変換するデジタル信号プロセッサ５８と、
　前記デジタル信号プロセッサ５８および前記論理回路５６に接続され、複数の周波数チャンネルのうちの１つで前記符号化された信号ストリームを送信するアップコンバータ３２と、
　受信ユニット４１０と、
を備える、送信器４０２。」
　
４．対比
　本願発明と引用例記載の発明とを対比すると、次のことがいえる。
　
（あ）引用例記載の発明における「デジタルオーディオ信号」，「符号化」，「信号ストリーム」，「周波数チャンネル」は、それぞれ、本願発明における「ディジタル・オーディオ」，「変調」，「データ信号」，「チャネル周波数」に相当する。
　
（い）引用例記載の発明における「Ｓ／ＰＤＩＦレシーバ５０、マルチプレクサ５２、論理回路５６」と、本願発明における「ストリーミング制御器」とは、ディジタル・オーディオを生成するものである点において、共通するものである。
　
（う）引用例記載の発明における「デジタル信号プロセッサ５８」と、本願発明における「エンコーダ」とは、符号化を行う装置である点において、共通するものである。
　
（え）引用例記載の発明における「アップコンバータ３２」は論理回路５６に接続されているから、当該「アップコンバータ３２」と、本願発明における「送信回路」とは、エンコーダおよびストリーミング制御器に接続され、複数のチャネル周波数のうちの１つで変調されたデータ信号を送信するものである点において、共通するものである。
　
（お）引用例記載の発明における「受信ユニット４１０」は、遠隔制御器から無線で送られたＲＦ遠隔制御メッセージを受信するものであり、「遠隔制御受信回路」と呼べるものである。
　
（か）引用例記載の発明における「送信器４０２」と、本願発明における「装置」とは、ディジタル・オーディオを変調して所望のチャネル周波数で送信するものである点において、共通するものである。
　
　よって、本願発明と引用例記載の発明とは、次の点で一致し、また、相違するものと認められる。
　
（一致点）
　本願発明と引用例記載の発明とは、ともに、
「ディジタル・オーディオを生成するストリーミング制御器と、
　前記ディジタル・オーディオを変調されたデータ信号に変換するエンコーダと、
　前記エンコーダおよび前記ストリーミング制御器に接続され、複数のチャネル周波数のうちの１つで前記変調されたデータ信号を送信する送信回路と、
　遠隔制御受信回路と、
を備える、装置。」
である点。
　
（相違点）
　「遠隔制御受信回路」が、本願発明においては、「ストリーミング制御器に接続された」ものであるのに対し、引用例記載の発明においては、何に接続されたものであるのかが明示されていない点。
　
５．判断
　そこで、上記相違点について検討する。
　
　引用例記載の発明においては、送信器４０２に備えられた受信ユニット４１０は、当該送信器４０２の送信ユニット４０９が送出する送信搬送周波数を示すパラメータを、制御メッセージとして受信する。また、送信ユニット４０９は、送信器２２と同じ構成のものであるから、論理回路５６からの制御信号により送信搬送周波数を決定する。よって、受信ユニット４１０が、受信した制御メッセージを基にして、論理回路５６に対して送信搬送周波数を指定する信号を送出することにより、送信ユニット４０９が送信搬送周波数を決定するようにすることは、当業者が容易になし得ることである。また、そうするために、受信ユニット４１０（遠隔制御受信回路）を、論理回路５６（ストリーミング制御器）に接続されたものとすることは、当業者が容易に想到し得ることである。
　
（本願発明の作用効果について）
　そして、本願発明の構成によってもたらされる効果も、引用例記載の発明から、当業者が容易に予測することができる程度のものであって、格別のものとはいえない。
　
６．むすび
　以上のとおり、本願発明は、引用例記載の発明に基いて、当業者が容易に発明をすることができたものであるから、特許法第２９条第２項の規定により特許を受けることができない。
　したがって、本願は、他の請求項について検討するまでもなく、拒絶されるべきものである。
　よって、結論のとおり審決する。